【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
基地局によるワイヤレス通信のための方法であって、
第２のタイプのユーザ機器、ＵＥ、と比べて強化されたダウンリンク、ＤＬ、カバレッジを受信することとなる第１のタイプの１つ以上のＵＥを識別することと、ここで、前記第１および第２のタイプのＵＥは、前記ワイヤレス通信システム内に共存し、両方とも前記基地局によってサービス提供される、
前記識別された第１のタイプのＵＥと通信する際に１つ以上のＤＬカバレッジ強化技法を利用することと
を備え、前記１つ以上のＤＬカバレッジ強化技法は、少なくとも、前記第２のタイプのＵＥと比べて前記第１のタイプのＵＥの低減されたＤＬ処理利得を調整するように設計される、方法。
【請求項２】
前記低減されたＤＬ処理利得は、
前記第２のタイプのＵＥと比べて低減された数の受信チェーン、
低減されたダウンリンク送信電力、または
前記第２のタイプのＵＥと比べてより狭い帯域幅の動作
のうちの少なくとも１つによるものである、請求項１に記載の方法。
【請求項３】
前記１つ以上のＤＬカバレッジ強化技法は、前記第１のタイプのＵＥに送信する際の１つ以上の制御チャネルのペイロードサイズを、前記第２のタイプのＵＥに送信する際の同じ制御チャネルのペイロードサイズと比べて低減させることを備える、請求項１に記載の方法。
【請求項４】
第１のペイロードサイズは、第１のタイプの制御チャネルのユニキャストメッセージを送信する際に使用され、
第２のペイロードサイズは、前記第１のタイプの制御チャネルの非ユニキャストメッセージを送信する際に使用される
請求項３に記載の方法。
【請求項５】
前記１つ以上のＤＬカバレッジ強化技法は、低減されたコーディングレートをサポートするために、１つ以上の制御チャネルに利用可能なリソースを増加させることを備える、請求項１に記載の方法。
【請求項６】
前記リソースの増加は、前記第２のタイプのＵＥに同じ制御チャネルを送信する際に利用可能なリソースの数と比例する、請求項５に記載の方法。
【請求項７】
同じ情報が、前記増加されたリソースの異なるセットのリソースエレメント、ＲＥ、で繰り返される、請求項５に記載の方法。
【請求項８】
制御チャネルが前記増加されたリソースを使用して送信されることとなる１つ以上のサブフレームを示すシグナリングを受信することをさらに備える、請求項５に記載の方法。
【請求項９】
前記１つ以上のＤＬカバレッジ強化技法は、送信時間インターバル、ＴＴＩ、バンドリングを備え、ここで、多数のＤＬサブフレームからなるバンドルにわたって冗長バージョンのダウンリンクチャネルが送信される、請求項１に記載の方法。
【請求項１０】
前記１つ以上のＤＬカバレッジ強化技法を利用することは、前記第１のタイプのＵＥのために、制御チャネルに対して第１の技法を利用することと、データチャネルに対して第２の技法を利用することとを備える、請求項１に記載の方法。
【請求項１１】
第１のサブフレームで送られた制御チャネルが、後続のサブフレームでのデータ送信をスケジューリングするように、クロスサブフレームスケジューリングが利用される、請求項１に記載の方法。
【請求項１２】
前記１つ以上のＤＬカバレッジ強化技法は、追加のビームフォーミング利得を利用することを備える、請求項１に記載の方法。
【請求項１３】
異なるＤＬカバレッジ強化技法は、異なる復号候補で送信されるＤＬチャネルに対して使用される、請求項１に記載の方法。
【請求項１４】
ワイヤレス通信のための基地局であって、
第２のタイプのユーザ機器、ＵＥ、と比べて強化されたダウンリンク、ＤＬ、カバレッジを受信することとなる第１のタイプの１つ以上のＵＥを識別するための手段と、ここで、前記第１および第２のタイプのＵＥは、前記ワイヤレス通信システム内に共存し、両方とも前記基地局によってサービス提供される、
前記第１のタイプのＵＥと通信する際に１つ以上のＤＬカバレッジ強化技法を利用するための手段と
を備え、前記１つ以上のＤＬカバレッジ強化技法は、少なくとも、前記第２のタイプのＵＥと比べて前記第１のタイプのＵＥの低減されたＤＬ処理利得を調整するように設計される、基地局。
【請求項１５】
ワイヤレス通信のためのコンピュータプログラム製品であって、前記コンピュータプログラム製品は、命令を格納したコンピュータ可読媒体を備え、前記命令は、本願請求項１から１３のうちのいずれかにしたがった方法を実行するために１つ以上のプロセッサによって実行可能である、コンピュータプログラム製品。
【手続補正２】
【補正対象書類名】明細書
【補正対象項目名】０１１６
【補正方法】変更
【補正の内容】
【０１１６】
[0121]  本開示の先の説明は、当業者が本開示を実行または使用することを可能にするために提供される。本開示に対する様々な変更は当業者には容易に明らかであり、本明細書で定義された包括的な原理は、本開示の精神または有効範囲から逸脱することなく、他の変形に適用されうる。したがって、本開示は本明細書で説明された例および設計に限定されることを意図しておらず、本明細書に開示された原理および新規な特徴と合致する最も広い範囲が与えられるべきである。
以下に本願発明の当初の特許請求の範囲に記載された発明を付記する。
［Ｃ１］基地局によるワイヤレス通信システムのための方法であって、
第２のタイプのユーザ機器（ＵＥ）と比べて強化されたダウンリンク（ＤＬ）カバレッジを受信することとなる第１のタイプの１つ以上のＵＥを識別することと、
前記第１のタイプのＵＥと通信する際に１つ以上のＤＬカバレッジ強化技法を利用することと
を備え、前記１つ以上のＤＬカバレッジ強化技法は、少なくとも、前記第２のタイプのＵＥと比べて前記第１のタイプのＵＥの低減されたＤＬ処理利得を調整するように設計される、方法。
［Ｃ２］前記低減されたＤＬ処理利得は、
前記第２のタイプのＵＥと比べて低減された数の受信チェーン、
低減されたダウンリンク送信電力、または
前記第２のタイプのＵＥと比べてより狭い帯域幅の動作
のうちの少なくとも１つによるものである、Ｃ１に記載の方法。
［Ｃ３］前記１つ以上のＤＬカバレッジ強化技法は、前記第１のタイプのＵＥに送信する際の１つ以上の制御チャネルのペイロードサイズを、前記第２のタイプのＵＥに送信する際の同じ制御チャネルのペイロードサイズと比べて低減させることを備える、Ｃ１に記載の方法。
［Ｃ４］第１のペイロードサイズは、第１のタイプの制御チャネルのユニキャストメッセージを送信する際に使用され、
第２のペイロードサイズは、前記第１のタイプの制御チャネルの非ユニキャストメッセージを送信する際に使用される
Ｃ３に記載の方法。
［Ｃ５］前記１つ以上のＤＬカバレッジ強化技法は、低減されたコーディングレートをサポートするために、１つ以上の制御チャネルに利用可能なリソースを増加させることを備える、Ｃ１に記載の方法。
［Ｃ６］前記リソースの増加は、前記第２のタイプのＵＥに同じ制御チャネルを送信する際に利用可能なリソースの数と比例する、Ｃ５に記載の方法。
［Ｃ７］同じ情報が、前記増加されたリソースの異なるセットのリソースエレメント（ＲＥ）で繰り返される、Ｃ５に記載の方法。
［Ｃ８］制御チャネルが前記増加されたリソースを使用して送信されることとなる１つ以上のサブフレームを示すシグナリングを受信することをさらに備える、Ｃ５に記載の方法。
［Ｃ９］前記１つ以上のＤＬカバレッジ強化技法は、送信時間インターバル（ＴＴＩ）バンドリングを備え、ここで、多数のＤＬサブフレームからなるバンドルにわたって冗長バージョンのダウンリンクチャネルが送信される、Ｃ１に記載の方法。
［Ｃ１０］前記バンドルは、Ｎ個の連続したＤＬサブフレームを備える、Ｃ９に記載の方法。
［Ｃ１１］前記バンドルは、Ｎ個の連続した非マルチメディアブロードキャスト単一周波数ネットワーク（非ＭＢＳＦＮ）ＤＬサブフレームを備える、Ｃ９に記載の方法。
［Ｃ１２］異なる数のリソースブロック（ＲＢ）が、ダウンリンクパイロット時間スロット（ＤｗＰＴＳ）を有するまたは有さない前記バンドル内のＤＬサブフレームについて前記ダウンリンクチャネルを送信するために使用される、Ｃ９に記載の方法。
［Ｃ１３］同じアグリゲーションレベルが、前記バンドル内の各サブフレームで前記ダウンリンクチャネルを送信するために使用される、Ｃ９に記載の方法。
［Ｃ１４］異なるアグリゲーションレベルが、前記バンドル内の異なるサブフレームで前記ダウンリンクチャネルを送信するために使用される、Ｃ９に記載の方法。
［Ｃ１５］サブフレームで使用されるアグリゲーションレベルは、そのサブフレーム内の利用可能なリソースに依存する、Ｃ１４に記載の方法。
［Ｃ１６］前記バンドル内の各サブフレームにおけるあるバージョンの前記ダウンリンクチャネルは、個別にコード化され、変調され、リソースにマッピングされる、Ｃ９に記載の方法。
［Ｃ１７］異なるセットの制御チャネルエレメント（ＣＣＥ）が、異なるサブフレームで複数のバージョンの前記ダウンリンクチャネルを送信するために使用され、
前記異なるサブフレーム内の前記異なるセットのＣＣＥのロケーションはリンク付けされる、Ｃ９に記載の方法。
［Ｃ１８］前記ダウンリンクチャネルは、物理ダウンリンク共有チャネル（ＰＤＳＣＨ）を備える、Ｃ９に記載の方法。
［Ｃ１９］前記ＴＴＩバンドリングは、多数のサブフレームを通じて単一のトランスポートブロック（ＴＢ）を送信することを備える、Ｃ１８に記載の方法。
［Ｃ２０］前記ＴＢは、同じ変調およびコード化スキーム（ＭＣＳ）を使用して前記バンドルの各サブフレームで送信される、Ｃ１９に記載の方法。
［Ｃ２１］前記ＴＢは、同数のリソースブロック（ＲＢ）を使用して前記バンドルの各サブフレームで送信される、Ｃ１９に記載の方法。
［Ｃ２２］前記ＴＢは、異なるロケーションのリソースブロック（ＲＢ）を使用して前記バンドルの各サブフレームで送信される、Ｃ２１に記載の方法。
［Ｃ２３］制御チャネルと、前記ＴＴＩバンドリングを介して送信された対応する物理ダウンリンク共有チャネル（ＰＤＳＣＨ）との間のスケジューリングタイミングは、前記バンドル内の第１のサブフレームに基づいて決定される、Ｃ９に記載の方法。
［Ｃ２４］前記ＴＴＩバンドリングを介して送信された物理ダウンリンク共有チャネル（ＰＤＳＣＨ）と、対応するハイブリッド自動再送要求（ＨＡＲＱ）応答との間のＨＡＲＱタイミングは、前記バンドル内の最後のサブフレームに基づいて決定される、Ｃ９に記載の方法。
［Ｃ２５］サポートされるハイブリッド自動再送要求（ＨＡＲＱ）プロセスの数は、ＴＴＩバンドリングサイズに依存する、Ｃ９に記載の方法。
［Ｃ２６］前記バンドル内の各サブフレームで前記ダウンリンクチャネルを送信するために、同じ復号候補が使用される、Ｃ９に記載の方法。
［Ｃ２７］前記バンドル内の開始サブフレームについてのサブフレームオフセットは、準静的または動的のうちの少なくとも１つで決定される、Ｃ９に記載の方法。
［Ｃ２８］前記バンドル内の前記開始サブフレームについての前記サブフレームオフセットはセル依存型である、Ｃ２７に記載の方法。
［Ｃ２９］前記バンドルのサイズは、一定であるか、準静的に構成されるかのうちの少なくとも１つである、Ｃ９に記載の方法。
［Ｃ３０］あるバージョンの前記ダウンリンクチャネルを送信するための１つ以上の物理層（ＰＨＹ）動作は、前記バンドル内のサブフレームによって異なる、Ｃ９に記載の方法。
［Ｃ３１］前記バンドルのサイズは動的に構成される、Ｃ９に記載の方法。
［Ｃ３２］あるバージョンの前記ダウンリンクチャネルを送信するための１つ以上の物理層（ＰＨＹ）動作は、前記バンドル内の異なるサブフレームで同じである、Ｃ９に記載の方法。
［Ｃ３３］前記１つ以上のＤＬカバレッジ強化技法を利用することは、前記第１のタイプのＵＥのために、制御チャネルに対して第１の技法を利用することと、データチャネルに対して第２の技法を利用することとを備える、Ｃ１に記載の方法。
［Ｃ３４］第１のサブフレームで送られた制御チャネルが、後続のサブフレームでのデータ送信をスケジューリングするように、クロスサブフレームスケジューリングが利用される、Ｃ１に記載の方法。
［Ｃ３５］前記１つ以上のＤＬカバレッジ強化技法は、追加のビームフォーミング利得を利用することを備える、Ｃ１に記載の方法。
［Ｃ３６］異なるＤＬカバレッジ強化技法は、異なる復号候補で送信されるＤＬチャネルに対して使用される、Ｃ１に記載の方法。
［Ｃ３７］ワイヤレス通信のための装置であって、
第２のタイプのユーザ機器（ＵＥ）と比べて強化されたダウンリンク（ＤＬ）カバレッジを受信することとなる第１のタイプの１つ以上のＵＥを識別するための手段と、
前記第１のタイプのＵＥと通信する際に１つ以上のＤＬカバレッジ強化技法を利用するための手段と
を備え、前記１つ以上のＤＬカバレッジ強化技法は、少なくとも、前記第２のタイプのＵＥと比べて前記第１のタイプのＵＥの低減されたＤＬ処理利得を調整するように設計される、装置。
［Ｃ３８］前記低減されたＤＬ処理利得は、
前記第２のタイプのＵＥと比べて低減された数の受信チェーン、
低減されたダウンリンク送信電力、または
前記第２のタイプのＵＥと比べてより狭い帯域幅の動作
のうちの少なくとも１つによるものである、Ｃ３７に記載の装置。
［Ｃ３９］前記１つ以上のＤＬカバレッジ強化技法は、前記第１のタイプのＵＥに送信する際の１つ以上の制御チャネルのペイロードサイズを、前記第２のタイプのＵＥに送信する際の同じ制御チャネルのペイロードサイズと比べて低減させることを備える、Ｃ３７に記載の装置。
［Ｃ４０］第１のペイロードサイズは、第１のタイプの制御チャネルのユニキャストメッセージを送信する際に使用され、
第２のペイロードサイズは、前記第１のタイプの制御チャネルの非ユニキャストメッセージを送信する際に使用される
Ｃ３９に記載の装置。
［Ｃ４１］前記１つ以上のＤＬカバレッジ強化技法は、低減されたコーディングレートをサポートするために、１つ以上の制御チャネルに利用可能なリソースを増加させることを備える、Ｃ３７に記載の装置。
［Ｃ４２］前記リソースの増加は、前記第２のタイプのＵＥに同じ制御チャネルを送信する際に利用可能なリソースの数に比例する、Ｃ４１に記載の装置。
［Ｃ４３］同じ情報が、前記増加したリソースの異なるセットのリソースエレメント（ＲＥ）で繰り返される、Ｃ４１に記載の装置。
［Ｃ４４］制御チャネルが前記増加されたリソースを使用して送信されることとなる１つ以上のサブフレームを示すシグナリングを受信するための手段をさらに備える、Ｃ４１に記載の装置。
［Ｃ４５］前記１つ以上のＤＬカバレッジ強化技法は、送信時間インターバル（ＴＴＩ）バンドリングを備え、ここで、多数のＤＬサブフレームからなるバンドルにわたってダウンリンクチャネルの冗長バージョンが送信される、Ｃ３７に記載の装置。
［Ｃ４６］前記バンドルは、Ｎ個の連続したＤＬサブフレームを備える、Ｃ４５に記載の装置。
［Ｃ４７］前記バンドルは、Ｎ個の連続した非マルチメディアブロードキャスト単一周波数ネットワーク（非ＭＢＳＦＮ）ＤＬサブフレームを備える、Ｃ４５に記載の装置。
［Ｃ４８］異なる数のリソースブロック（ＲＢ）は、ダウンリンクパイロット時間スロット（ＤｗＰＴＳ）を有するまたは有さない前記バンドル内のＤＬサブフレームについて前記ダウンリンクチャネルを送信するために使用される、Ｃ４５に記載の装置。
［Ｃ４９］同じアグリゲーションレベルが、前記バンドル内の各サブフレームで前記ダウンリンクチャネルを送信するために使用される、Ｃ４５に記載の装置。
［Ｃ５０］異なるアグリゲーションレベルが、前記バンドル内の異なるサブフレームで前記ダウンリンクチャネルを送信するために使用される、Ｃ４５に記載の装置。
［Ｃ５１］サブフレームで使用されるアグリゲーションレベルは、そのサブフレーム内の利用可能なリソースに依存する、Ｃ５０に記載の装置。
［Ｃ５２］前記バンドル内の各サブフレームにおけるあるバージョンの前記ダウンリンクチャネルは、個別にコーディングされ、変調され、リソースにマッピングされる、Ｃ４５に記載の装置。
［Ｃ５３］異なるセットの制御チャネルエレメント（ＣＣＥ）が、異なるサブフレームで複数のバージョンの前記ダウンリンクチャネルを送信するために使用され、
前記異なるサブフレーム内の前記異なるセットのＣＣＥのロケーションはリンク付けされる、
Ｃ４５に記載の装置。
［Ｃ５４］前記ダウンリンクチャネルは、物理ダウンリンク共有チャネル（ＰＤＳＣＨ）を備える、Ｃ４５に記載の装置。
［Ｃ５５］前記ＴＴＩバンドリングは、多数のサブフレームにわたって単一のトランスポートブロック（ＴＢ）を送信することを備える、Ｃ５４に記載の装置。
［Ｃ５６］前記ＴＢは、同じ変調およびコード化スキーム（ＭＣＳ）を使用して前記バンドルの各サブフレームで送信される、Ｃ５５に記載の装置。
［Ｃ５７］前記ＴＢは、同数のリソースブロック（ＲＢ）を使用して前記バンドルの各サブフレームで送信される、Ｃ５５に記載の装置。
［Ｃ５８］前記ＴＢは、異なる数のリソースブロック（ＲＢ）を使用して前記バンドルの各サブフレームで送信される、Ｃ５７に記載の装置。
［Ｃ５９］制御チャネルと、前記ＴＴＩバンドリングを介して送信された対応する物理ダウンリンク共有チャネル（ＰＤＳＣＨ）との間のスケジューリングタイミングは、前記バンドル内の第１のサブフレームに基づいて決定される、Ｃ４５に記載の装置。
［Ｃ６０］前記ＴＴＩバンドリングを介して送信された物理ダウンリンク共有チャネル（ＰＤＳＣＨ）と、対応するハイブリッド自動再送要求（ＨＡＲＱ）応答との間のＨＡＲＱタイミングは前記バンドル内の最後のサブフレームに基づいて決定される、Ｃ４５に記載の装置。
［Ｃ６１］サポートされるハイブリッド自動再送要求（ＨＡＲＱ）プロセスの数は、ＴＴＩバンドリングサイズに依存する、Ｃ４５に記載の装置。
［Ｃ６２］前記バンドル内の各サブフレームで前記ダウンリンクチャネルを送信するために、同じ復号候補が使用される、Ｃ４５に記載の装置。
［Ｃ６３］前記バンドル内の開始サブフレームについてのサブフレームオフセットは、準静的または動的のうちの少なくとも１つで決定される、Ｃ４５に記載の装置。
［Ｃ６４］前記バンドル内の前記開始サブフレームについての前記サブフレームオフセットはセル依存型である、Ｃ６３に記載の装置。
［Ｃ６５］前記バンドルのサイズは、一定であるか、準静的に構成されるかのうちの少なくとも１つである、Ｃ４５に記載の装置。
［Ｃ６６］あるバージョンの前記ダウンリンクチャネルを送信するための１つ以上の物理層（ＰＨＹ）動作は、前記バンドル内のサブフレームによって異なる、Ｃ４５に記載の装置。
［Ｃ６７］前記バンドルのサイズは動的に構成されうる、Ｃ４５に記載の装置。
［Ｃ６８］あるバージョンの前記ダウンリンクチャネルを送信するための１つ以上の物理層（ＰＨＹ）動作は、前記バンドル内の異なるサブフレームで同じである、Ｃ４５に記載の装置。
［Ｃ６９］前記１つ以上のＤＬカバレッジ強化技法を利用するための手段は、前記第１のタイプのＵＥのために、制御チャネルに対して第１の技法を利用し、データチャネルに対して第２の技法を利用するように構成される、Ｃ３７に記載の装置。
［Ｃ７０］第１のサブフレームで送られた制御チャネルが、後続のサブフレームでのデータ送信をスケジューリングするように、クロスサブフレームスケジューリングが利用される、Ｃ３７に記載の装置。
［Ｃ７１］前記１つ以上のＤＬカバレッジ強化技法は、追加のビームフォーミング利得を利用することを備える、Ｃ３７に記載の装置。
［Ｃ７２］異なるＤＬカバレッジ強化技法は、異なる復号候補で送信されるＤＬチャネルに対して使用される、Ｃ３７に記載の装置。
［Ｃ７３］ワイヤレス通信のための装置であって、
第２のタイプのユーザ機器（ＵＥ）と比べて強化されたダウンリンク（ＤＬ）カバレッジを受信することとなる第１のタイプの１つ以上のＵＥを識別することと、
前記第１のタイプのＵＥと通信する際に１つ以上のＤＬカバレッジ強化技法を利用することと
を行うように構成された少少なくとも１つのプロセッサと、ここにおいて、前記１つ以上のＤＬカバレッジ強化技法は少なくとも、前記第２のタイプのＵＥと比べて前記第１のタイプのＵＥの低減されたＤＬ処理利得を調整するように設計される、
前記少なくとも１つのプロセッサに結合されたメモリと
を備える装置。
［Ｃ７４］ワイヤレス通信のためのコンピュータプログラム製品であって、前記コンピュータプログラム製品は、命令を格納したコンピュータ可読媒体を備え、前記命令は、
第２のタイプのユーザ機器（ＵＥ）と比べて強化されたダウンリンク（ＤＬ）カバレッジを受信することとなる第１のタイプの１つ以上のＵＥを識別し、
前記第１のタイプのＵＥと通信する際に１つ以上のＤＬカバレッジ強化技法を利用する
ために１つ以上のプロセッサによって実行可能であり、前記１つ以上のＤＬカバレッジ強化技法は、少なくとも、前記第２のタイプのＵＥと比べて前記第１のタイプのＵＥの低減されたＤＬ処理利得を調整するように設計される、コンピュータプログラム製品。